(57)【特許請求の範囲】
【請求項１】
遊技機の動作状態を制御するための回路基板を基体とカバー体内に封止する閉止構造であって、
前記基体および前記カバー体の少なくとも一方に弾性が付与された係止片によって係合する係合手段を設けると共に、前記カバー体または前記基体には前記係止片に隣接させて開口部を開設し、前記開口部に前記係止片の解除方向への動きを規制する封止部材を装着することで前記回路基板を前記基体と前記カバー体によって封止し得るようにしたことを特徴とする遊技機における回路基板の閉止構造。
【請求項２】
遊技機の動作状態を制御するための回路基板を基体とカバー体内に封止する閉止構造であって、
前記基体および前記カバー体の少なくとも一方に係止片によって係合する係合手段を設けると共に、前記カバー体または前記基体には前記係止片に隣接させて開口部を開設し、前記開口部に前記係止片の解除方向への動きを規制する封止部材を装着することで前記回路基板を前記基体と前記カバー体によって封止し得るようにし、該封止部材は装着された状態で外部に露出する外側面が前記カバー体の外側面と同一面になるように形成したことを特徴とする遊技機における回路基板の閉止構造。
【請求項３】
遊技機の動作状態を制御するための回路基板を基体とカバー体内に封止する閉止構造であって、
前記基体および前記カバー体の少なくとも一方に係止片によって係合する係合手段を設けると共に、前記カバー体または前記基体には前記係止片に隣接させて開口部を開設し、前記開口部に前記係止片の解除方向への動きを規制する封止部材を装着することで前記回路基板を前記基体と前記カバー体によって封止し得るようにし、
さらに、前記開口部に連通させて使用済みとなった前記封止部材を収納し得る収納部を設け、該収納部は、前記カバー体から視認可能になっていることを特徴とする遊技機における回路基板の閉止構造。
【発明の詳細な説明】
【０００１】
【発明の属する技術分野】
本発明は、パチンコ機等の遊技機における動作状態を制御するための回路基板を収容して封止状態に止着するための構造に関するものである。
【０００２】
【従来の技術】
一般に、この種の遊技機には所定個所にその遊技動作を制御する回路基板を内装した基板収納ケースが取付けられる。該基板収納ケースは、遊技機に取り付けられる台板と、該台板の前面に固着されマイクロコンピュータのＣＰＵ，ＲＯＭ等の電子部品が多数装備される回路基板と、前記台板とほぼ同じ大きさからなり、回路基板を覆うようにして台板に取り付けられる箱状のカバー体とからなり、これらを重ね合せ、更にカバー体に螺子を挿通して締め付けることにより一体に組み付けている。そして、組み付けられた基板収納ケースを入賞球集合カバー，機構板等にビス着等の適宜手段により取着されていた。
【０００３】
【発明が解決しようとする課題】
しかしながら、近時パチンコホールにおいて回路基板のＲＯＭを勝手に改造してゲームに賭博性を持たせるといった不正行為が頻発しており、これを防止するために、前記台板とカバー体間に跨がるようにして破損し易い封印紙を貼着し、該封印紙が破損していた場合には不正なＲＯＭ交換が行なわれたとみなしていた。ところが、前記封印紙を巧妙に剥がし内部のＲＯＭを交換した後、再度封印紙を元通りに貼り付けておくといった巧妙な不正行為が行なわれ、封印紙を一見しただけでは前記不正が行なわれたか否かが分らないという課題が生じている。また、最近では基板収納ケースごと取り外し交換する不正が行われている。
【０００４】
本発明は上記した課題並びに要望に鑑みてなされたもので、カバー体または基板収納ケース自体を外せなくして内部に収納された回路基板のＲＯＭを交換して勝手に改造するといった不正をすることができない遊技機における回路基板の閉止構造を提供するものである。
【０００５】
【課題を解決するための手段】
かかる目的を達成するために、本発明は、遊技機の動作状態を制御するための回路基板を基体とカバー体内に封止する閉止構造であって、前記基体およびカバー体の少なくとも一方に係止片によって係合する係合手段を設けると共に、前記係止片に隣接してカバー体または基体に開口部が開設され、該開口部に係止片の解除方向への動きを規制する封止部材を装着したことを特徴とする。
【０００６】
また、本発明は、前記係止片が弾性係止片であることを特徴とする。
【０００７】
また、本発明は、前記封止部材に係止手段を備えることが好ましい。
【０００８】
また、請求項２記載発明は、前記封止部材の外部に露出する外側面がカバー体の外側面と同一面になるように形成したことを特徴とし、不正行為を行い難くした。
【０００９】
また、本発明は、前記封止部材を基体またはカバー体のいずれかに複数備えてもよい。
【００１０】
また、請求項３記載発明は、前記基体の開口部に連通し、カバー体から視認可能な使用済み封止部材の収納部を形成したことを特徴とする。
【００１１】
なお、本発明は、基板収納ケース自体の組立て固着に限らず、基板収納ケースの固着に応用することも可能である。
【００１２】
【発明の実施の形態】
以下、本発明に係る遊技機の基板収納ケースの実施の形態を図面に基づき説明する。なお、本発明が適用可能な遊技機には、パチンコ遊技機，アレンジボール遊技機，スロットルマシン等が有るが、一例としてパチンコ遊技機について説明する。
【００１３】
図１は、本発明が適用されるパチンコ遊技機の裏面図を示し、図中１は機枠であり、該機枠１に装着される前面枠２の裏面に遊技盤取付枠３が固着され、該遊技盤取付枠３に遊技盤４が装着されている。 そして、遊技盤取付枠３の一側には遊技盤４の裏面全体を覆う合成樹脂製の機構板５が開閉自在に装着されている。
【００１４】
前記機構板５の裏面にはその上部にパチンコ球を貯留する球タンク６，該球タンク６から流下するパチンコ球を整列流下させるタンクレール７，またその一側部に該タンクレール７から流下するパチンコ球の球圧を弱めるカーブ樋８，該カーブ樋８からパチンコ球を受け入れる球払出装置９，該球払出装置９から払い出された所定個数のパチンコ球を誘導する球排出樋１０等がそれぞれ配設されている。該球排出樋１０は樋カバー４０によって被着されている。
【００１５】
また、前記機構板５のほぼ中央に窓口１１が開設され、該窓口１１に臨んで前記遊技盤４の裏面と対応する機構板５の前側に入賞球集合カバー１２が設けられ、該入賞球集合カバー１２の裏面に本発明に係わる基板収納ケース１３が装着されている。なお、１４は遊技盤４面に装着された可変表示装置（図示せず）の後方部分を覆い保護する保護カバーである。また、前記基板収納ケース１３は入賞球集合カバー１２の裏面に限らず、例えば前面枠２の裏面下部または機構板５裏面など他の個所に装着しても良い。
【００１６】
前記基板収納ケース１３は、図２および図３に示すように前記入賞球集合カバー１２の裏面にビス１５等の適宜手段により取付けられる基体としての台板１６と、該台板１６の前面に固着されるパチンコ遊技機の遊技状態を制御する回路基板１７と、前記台板とほぼ同じ大きさであって該回路基板１７を覆うようにして台板１６に取付けられるカバー体１８とから構成される。
【００１７】
前記台板１６は回路基板１７に合致する縦長長方形の金属板１６ａからなり、左右両側端縁に表側へ直角に折れ曲る折り曲げ片部１９，１９を有する。該金属板１６ａの四隅角部にはねじ孔２０を穿設した突起２１，２１…が設けられている。そして、金属板１６ａの上下側端縁に表側へ直角に折れ曲る支持片２２，２２が一体に設けられ、該上下支持片２２，２２に後述する係止手段としての弾性係止片３２および差込片３８が嵌合する係止孔２３，３９が開設されている。また、前記金属板１６ａの外周縁には適宜位置に取付片部２４，２４…が延設され、該各取付片部２４，２４…に前記入賞球集合カバー１２の裏面に取付けるためのビス１５，１５…が挿通される透孔２５，２５…が貫設されている。なお、台板１６は、アルミ合金ダイキャスト製，マグネシウム合金製など金属製のものとしてもよい。
【００１８】
前記回路基板１７は周知のように縦長長方形をなすプリント配線基板よりなり、その上面にＲＯＭ２６，ＣＰＵ２７およびその他各種の電子部品２８が関連付けられて配置されている。２９，２９…は回路基板１７の一側に複数列設された入出力用コネクターである。また、回路基板１７の四隅角部には前記台板１６の各突起２１，２１…のねじ孔２０と連通する止着孔３０，３０…が貫設され、該各止着孔３０，３０…にビス３１を挿通して各ねじ孔２０，２０…に螺締することにより回路基板１７が台板１６に固着される。なお、回路基板１７の取着はビス３１着に限定されることなく、弾性片等により取着するようにしてもよい。
【００１９】
また、前記ＲＯＭ２６，ＣＰＵ２７およびその他の電子部品２８は回路基板１７の止着孔３０で囲まれる領域内に設置し、前記入出力用コネクター２９を止着孔３０より外側領域に設置される。
【００２０】
前記カバー体１８は、裏面が開放し前記回路基板１７の入出力用コネクター２９，２９…側を残した全面を覆う箱形状を成すと共に、上側壁１８ｂに前記台板１６の上支持片２２に開設した係止孔３９，３９に嵌め込む差込片３８，３８が外方へ曲折形成され、下側壁１８ａには、切り溝６６を設けることにより前記台板１６の下支持片２２の係止孔２３に嵌め込む係止片３２が形成されている。また、カバー体１８の前面は周囲に所定幅の枠縁部３３を残した開放面３４とし、該開放面３４に透明な合成樹脂からなる透明板３５が被覆設置される。該カバー体１８は前記枠部３３の全体に所定間隔を置いて複数の小孔３６が穿設され、前記透明板３５の裏面の周囲に複数の突子３７を突設し、そして該突子３７を前記カバー体１８の枠部３３に設けた小孔３６に圧入することにより透明板３５を被覆設置する。なお、カバー体１８は、アルミ合金ダイキャスト製，マグネシウム合金製など金属製のものとしてもよい。
【００２１】
しかして、前記台板１６には、前記回路基板１７を取着した状態で、前記係止孔２３に対向位置して開口する枠部４１を立設すると共に、前記カバー体１８には該カバー体１８と前記台板１６と係合した状態で前記枠部４１に合致し、方形状の貫通孔４２を有し係止片３２側に開放する枠部４３を突設している。４４は貫通孔４２および枠部４１に嵌入されて係止片３２の解除方向への動きを規制しカバー体１８が無用に取り外しできないようにするためのＡＢＳ樹脂等の合成樹脂材により形成された封止部材であり、前記貫通孔４２の内径とほぼ同じ寸法の外径を有する直方体に形成されている。該封止部材４４の外側端面は、図３に示されるように貫通孔４２および枠部４１，４３に嵌入したときカバー体１８の上面と同一面となるようにして封止部材４４を外してカバー体１８を開封する不正行為をし難くしている。なお、係止片３２の爪片３２ａの基部に開口または切り溝を設けるのが好ましく、該爪片３２ａを外そうとすると基部に折れ線がつき、不正にこじ開けようとした痕跡を残すことができる。
【００２２】
本発明に係る基板収納ケース１３は上記構成よりなり、まず、前記回路基板１７を台板１６の金属板１６ａの表面に重ね、各止着孔３０，３０…を介しビス３１，３１…を各突起２１，２１…のねじ孔２０，２０…に螺締して回路基板１７を台板１６に固着する。そして、前記回路基板１７を覆うようにして台板１６にカバー体１８を被せる。即ち、該カバー体１８の上側壁１８ｂの差込片３８，３８を台板１６の支持片２２に開設した係止孔３９，３９に臨ませると共に、上側壁１８ｂを台板１６の支持片２２に重ね合わせるように下側壁１８ａの係止片３２を台板１６の係止孔２３に係止させる。この状態で、台板１６の枠部４１とカバー体１８の枠部４３が互いに合致している。
【００２３】
そして、図３に示されるように、外周面に接着剤を付着させた封止部材４４を外側面がカバー体１８の外側面と同一面になるように貫通孔４２に抜脱不能に嵌入させる。これにより、封止部材４４が貫通孔４２を塞ぎ枠部４１および弾性係止片３２に支持され、係止片３２の解除方向への動きを規制すると共に係止片３２と係止孔２３の係合を確実なものとし、カバー体１８の無用に取り外しできなくなり、回路基板１７がカバー体１８内に密封される。なお、封止部材４４を接着剤により抜脱不能にするようにしたが、カバー体１８を封止部材４４と同じ合成樹脂により形成し、上部を焼き鏝等で溶着するようにしてもよい。
【００２４】
このように、台板１６およびカバー体１８を係止片３２によって係合する係合手段を設けると共に、係合状態で係止片３２に対向位置する貫通孔４２および枠部４１，４３を設け、該貫通孔４２および枠部４１，４３に係止片３２の解除方向への動きを阻止する封止部材４４を抜脱不能に装着する簡単な構造で、カバー体１８が無用に開封できない封印機能を備え、回路基板１７がカバー体１８内に密封され確実に不正行為が防止される。なお、カバー体１８を開放するには、係止片３２または爪部３２ａを破損して係止孔２３との係合を解除して開放可能となる。また、本実施の形態において、回路基板１７を台板１６側に固着するようにしたが、カバー体１８側に固着するようにしてもよい。また、開口部としての貫通孔４２をカバー体１８に設けるようにしたが台板１６側に設けるようにしてもよく、枠部４１，４３を台板１６またはカバー体１８のいずれかに設けるようにしてもよい。
【００２５】
図４および図５は、封止部材に基板収納ケース１３を係合する係止機能を備えた実施の形態を示し、前記実施の形態と同じ構成要素には同一符号を付して説明する。なお、この実施の形態においてカバー体１８は合成樹脂により形成され、係止片３２は弾性が付与されている。また、封止部材４４Ａは頭部にコハゼ形のフランジ４５を有し、先端を２つ割り状にして一対の弾性錨脚４６，４６が形成され、該各錨脚４６，４６の先端部の外側面に係合部４７が突設されている。また、カバー体１８表面には前記貫通孔４２の周囲に位置して前記フランジ４５の形状に合致し該フランジ４５を囲う突条４８を一体に成形しており、一方、台板１６の枠部４１には封止部材４４Ａの係合部４７が係合する係止部４９が形成されている。５０は台板１６の枠部４１の開口端に横架する架橋部で、封止部材４４Ａが基板収納ケース１３の裏面から係合部４７を操作されて外されるおそれがないようにするために形成してなるもので、これによって不正な開放がより確実に防止される。なお、係止片３２の爪片３２ａの基部に開口または切り溝を設けるのが好ましく、該爪片３２ａを外そうとすると基部が白化または破損し、不正にこじ開けようとした痕跡を残すことができる。
【００２６】
この実施の形態は、差込片３８および弾性係止片３２をそれぞれ係止孔２３，３９に係合させて、貫通孔４２に封止部材４４Ａを貫挿し、係合部４７を係止部４９中に係合することにより抜脱不能に止着され、弾性係止片３２の解除方向への弾性を阻止し、封止部材４４Ａは基板収納ケース１３の係止機能と封印機能を果たす。このように、基板収納ケース１３は封止部材４４Ａによって係合されると共に抜脱不能状態に止着され、該封止部材４４Ａのフランジ４５が突条４８によって囲われていることから、スクリュードライバ等を該フランジ４５の下に差し込もうとしても該突条４８が障害となって差し込むことができず無理にこじ開けることは困難となる。
【００２７】
図６および図７は、ＲＯＭ２６内容の対比照会検査のため、基板収納ケース１３が複数回の開封および密封ができて再利用を可能とした実施の形態を示し、カバー体１８に封止部材４４Ｂが複数設けられている。封止部材４４Ｂは基端部５１から一対の保持片５２，５２によりコ字状に形成され、両保持片５２，５２の先端部外側面に爪部５３，５３が突設されている。両保持片５２，５２は合成樹脂の材質から弾性力が備えられている。なお、５４は爪部５３，５３の先端部に形成された返しで、図７に示したように該返し５４を係止部４９の内側外周に係合させることにより係合状態を安定することができる。また、カバー体１８の貫通孔４２を交差するように凹溝５５を形成することにより、ニッパー等の破壊具による基端部５１の破壊を容易にすることができる。なお、前記実施の形態と同じ構成には同一符号を付して説明する。
【００２８】
この実施の形態において、カバー体１８の差込片３８および弾性係止片３２をそれぞれ係止孔２３，３９に係合させて、カバー体１８を止着する。そして、封止部材４４Ｂの基端部５１がカバー体１８上面と同一面となるように貫通孔４２に貫挿し、爪部５３を係止部４９中に係合することにより抜脱不能に止着され、弾性係止片３２の解除方向への弾性を阻止する。また、遊技機製造メーカーまたはパチンコ遊技機が納入されたパチンコホールで回路基板１７を検査する等、基板収納ケース１３を開ける必要が生じた場合には、ニッパーの刃先を凹溝５５に通して基端部５１を挟んで該基端部５１を切断破壊することにより保持片５２の弾性支持が失われ、封止部材４４Ｂが簡単に取り除かれて弾性係止片３２と係止孔２３の係合が解除可能となり、カバー体１８を開けられるようになる。
【００２９】
このように、基板収納ケース１３を開けようとすると封止部材４４Ｂを破壊するほかないので、いったん基板収納ケース１３を開ければその封止部材４４Ｂは再使用できなくなり、これによって基板収納ケース１３を開けたという事実が容易に判るようになり、回路基盤１７を不正に改造されるのを防止するうえで有効である。そして不正の目的でなく基板収納ケース１３を開ける必要が生じた場合は、ニッパーを使えば容易に封止部材４４Ｂの基端部５１を破壊でき簡単に開けることができ、閉じる場合には予備の封止部材４４Ｂを切離使用しその使用日時，開閉責任者の名前等を使用記録記載欄５６に記載することによりその開閉管理が確実になされるようになる。なお、予備の封止部材４４Ｂをカバー体１８側方に設けて切離して使用するようにしたが、複数の封止部材４４Ｂを台板１６側に設けるようにしてもよい。
【００３０】
なお、本発明は実施の形態においてカバー体１８側に係止片３２を設けるようにしたが、台板１６側に設けるようにしてもよく、設置箇所および数に限定されることはない。
【００３１】
また、上記実施の形態において、予備の封止部材４４Ｂを複数備えるようにしたが、図８および図９に示すように係止片３２および係止孔２３を複数形成すると共に、封止部材４４Ｂを嵌挿する貫通孔４２および枠部４１，４３を複数形成してもよく、この実施の形態においてカバー体１８を鉄板で形成し、枠部４１，４３は別体で形成しており、係止片３２は常には図８に示すように係止孔２３に係止しない状態にあり、封止部材４４Ｂを貫通孔４２に挿通することにより係止片３２が係止孔２３に係合するようになっている。そして、検査でカバー体１８を開放するには、図９鎖線に示すように枠部４１の開口端に横架する架橋部５０をニッパー等で破壊し、封止部材４４Ｂを押出して破壊することなく取り外し、検査後他の貫通孔４２および枠部４１，４３に取外した封止部材４４Ｂを嵌挿して係止片３２を係止孔２３に係合させ再度回路基板１７を封止するようにして、その使用日時，開閉責任者の名前等を使用記録記載欄５６に記載するようにしてもよい。このようにすることで、１個の封止部材４４Ｂで複数回の検査が可能となる。また、架橋部５０は破断が確実に確認でき、しかもゴミにならないように切離しないようにするのが好ましい。
【００３２】
また、図１０ないし図１３は、封止部材４４Ｂを破損することなく、基板収納ケース１３の開放した回数が確認できるようにした実施の形態を示し、カバー体１８を透明樹脂により形成すると共に、台板１６の枠部４１と連通してカバー体１８から視認可能な使用済みの封止部材４４Ｂの収納部５７を設けている。また、予備の封止部材４４Ｂを個々に独立して収納するの収容部６７が複数区画形成されており、該収容部６７の上方に位置するカバー体１８に切り溝６８により蓋部６９が形成されている。なお、蓋部６９には使用日時，開閉責任者の名前等を記載する使用記録記載欄５６が設けられている。この実施の形態において、貫通孔４２および枠部４１，４３は側方位置で合致するようにしている。なお、前記収納部５７は別体に形成して接着，溶着および弾性片等で固着するようにしてもよい。なお、カバー体１８を合成樹脂製とした場合には誤作動の原因となる電磁波や静電気を防止するために導電性の材料を塗布あるいは含有させるのが好ましい。また、収容部６７の蓋部６９は下側壁１８ａに設けるようにしてもよい。
【００３３】
そして、上記構成の基板収納ケース１３は、封止部材４４Ｂを側方から基端部５１がカバー体１８と同一面となるように貫通孔４２および枠部４１，４３に嵌挿し、爪部５３を係止部４９に係合することにより抜脱不能に止着され、回路基板１７が基板収納ケース１３内に封止される。
【００３４】
このように封止された基板収納ケース１３を開ける必要が生じた場合には、図１２および図１３矢印に示すように封止している封止部材４４Ｂを押し込むようにして爪部５３と係止部４９の係合を解除して、弾性係止片３２の解除方向の弾性規制を解除し、差込片３８および弾性係止片３２をそれぞれ係止孔２３，３９の係合から解除し、カバー体１８を開放してＲＯＭ２６内容の対比照会検査が可能となる。そして、検査後は再びカバー体１８を取り付け、図１０鎖線に示すように蓋部６９の繋ぎ部の一箇所をヒンジ部とするようにニッパーで切離して開放し、予備の封止部材４４Ｂを取り出し、貫通孔４２に嵌挿し係止部４９に係合させることにより封鎖部材４４Ｂを抜脱不能な状態とし、同じ作用を繰り返すことによってＲＯＭ２６の検査が３回行なえるようになっている。
【００３５】
このように、カバー体１８を外すには封止部材４４Ｂを押し込むようにして封止解除しなければならず、その封止部材４４Ｂが収納部５７内に残ることとなり、仮に封止部材４４Ｂを新たに成形して貫通孔４２および枠部４１，４３に嵌入して不正を隠そうとしても前記収納部５７内に使用済みの封止部材４４Ｂが残っていることから、隠蔽することは極めて困難であるため不正行為が行い難く、その不正は容易に発見でき責任の所在も明確化される。また、収納部５７内の封止部材４４Ｂは、図１２および図１３鎖線に示すように破損していない状態で収納されるため再利用が可能となる。また、蓋部６９を完全に切離しないためゴミとならず、しかもヒンジ部が白化するため予備の封止部材４４Ｂを取り出したこともすぐに確認できる。また、カバー体１８を金属により成形した際にも折り曲げ痕がつき予備の封止部材４４Ｂの使用がわかる。また、このときカバー体１８に透孔を設けて収納部５７を視認可能とすればよい。
【００３６】
なお、封止部材４４Ｂを保持片５２側から差し込むようにしたが、係止爪部５３の方向を変えることにより差込方向を変更するようにしてもよい。また、収納部５７の許容量は、必要検査回数の封止部材４４Ｂが収納される大きさが望ましく、必要回数以上の封止部材４４Ｂは収納部５７に収納された使用済みの封止部材４４Ｂにより押し込みが阻止され必要以上の開封ができなくなる。また、収納部５７はカバー体１８および台板１６とにより形成するようにしてもよい。
【００３７】
なお、基板収納ケース１３の台板１６およびカバー体１８と封止部材４４，４４Ａ，４４Ｂを同一の材質とすれば分別等において有効である。また、台板１６およびカバー体１８を、合成樹脂製とした場合には誤作動の原因となる電磁波や静電気を防止するために導電性の材料を塗布あるいは含有させるのがよい。
【００３８】
これまで上記した実施形態では基体としての台板１６およびカバー体１８を弾性係止片３２により係合し、基板収納ケース１３自体を上記封止部材４４，４４Ａ，４４Ｂにより開放不能として回路基板１７の不正を防止するようにしたが、図１４および図１５は基体を前記樋カバー４０とした実施の形態を示し、樋カバー４０に基板収納ケース１３の取付領域５８が形成されている。前述した実施の形態と同じ構成要素には同符号を付して説明する。
【００３９】
前記取付領域５８には、図１４に示すように該取付領域５８を囲うように左右に支持壁６０が樋カバー４０と一体に立設され、取付領域５８の上側には左右一対の係止凹部６１が設けられている。そして、取付領域５８の下方に係止部４９を有する枠部４１と、該枠部４１樋カバー４０に弾性係止片３２が係合すると共に、封止部材４４Ｂが係止する係止孔６２が開設され、該係止孔６２に連通して封止部材４４Ｂの爪部５３，５３および弾性係止片３２の爪片３２ａを囲うように囲壁６３が設けられている。そして、取付領域５８の上下左右の所定位置に回路基板１７の位置決め部５９が突設され、逆Ｌ字状の押え片６４および弾性押え片６５が設けられている。なお、封止部材４４Ｂには係止部４９に係止する係合凹部７０および係止孔６２に係合する爪部５３が設けられ、複数箇所で係合するようにしている。
【００４０】
上記構成の基板収納ケース１３は、回路基板１７の一端を押え片６４下面にもぐらせながら位置決め部５９で位置決めし、他端を弾性押え片６５により押え固定する。そして、カバー体１８の差込片３８，３８を係止凹部６１，６１に差込み、支持壁６０で囲うようにして他端の弾性係止片３２を係止孔６２に係止する。そして、該弾性係止片３２の解除方向への弾性を規制する封止部材４４Ｂを貫通孔４２に嵌挿して係止孔６２で係止する。このようにすることで、カバー体１８は解除不能状態となり、回路基板１７は封止され不正することができなくなる。なお、カバー体１８を係合した状態で弾性係止片３２を操作できないように切り溝６６を隠蔽する高さの下支持壁を形成するのが望ましい。また、弾性押え片６５の操作部６５ａを弾性押え片６５の基台６５ｂに接着することにより回路基板１７が取り外し不能となり、より不正をし難くすることができる。
【００４１】
なお、基体を樋カバー４０として説明したが、前面枠２の裏面、遊技盤４裏面の入賞球集合カバー１２またはパチンコ機裏面の機構板５、あるいは機構板５に取付けられた供給通路，払出装置９等とし、その基体部分とカバー体１８とを係止片により係合して、基体部分とカバー体１８との間に回路基板１７を封止するようにし、回路基板１７の不正を防止するようにしてもよい。
【００４２】
また、これまで説明した実施の形態において、係止片３２をカバー体１８に一体に形成するようにしたが、別体に形成してもよく、特にカバー体１８をアルミニウム，マグネシウム等のダイカスト鋳造または導電性樹脂により成形した際には係止片３２に弾性が付与し難く、係止片３２を別体に形成して揺動またはスライド自在に取着し、封止部材４４，４４Ａ，４４Ｂにより係止片３２を確実に係止孔２３に係合させると共に、係止片３２の解除方向への揺動またはスライドを阻止するようにするのが好ましい。
【００４３】
また、上記実施の形態において係止片３２と係止孔２３との係合状態を視認可能としたが、特に限定されるものではなく、カバー体１８を外す必要のないものに関してはカバー体１８内で係合するようにしてもよい。
【００４４】
さらに、本発明は、回路基板１７を収納した基板収納ケース１３自体をその基体部分に弾性係止片により止着する場合にも適用することができ、封止部材４４，４４Ａ，４４Ｂにより係止片の解除方向の動きを規制し、基板収納ケース１３自体を外せないようにして回路基板１７の不正を防止することも可能である。
【００４５】
【発明の効果】
以上述べたように、本発明は、回路基板を基体とカバー体とにより閉止する遊技機における回路基板の閉止構造において、該カバー体を基体に対して係止片によって係合する係合手段を設けると共に、該係合手段に隣接して開口する開口部に係止片の解除方向への動きを規制する封止部材を装着するようにしたので、係止片の係合を確実なものとすると共に不正行為を確実に防止することができる。
【図面の簡単な説明】
【図１】本発明が適用されるパチンコ遊技機の裏面図である。
【図２】基板収納ケースの分解斜視図である。
【図３】基板収納ケースの側断面図である。
【図４】他の実施の形態の封止部材を使用した要部斜視図である。
【図５】図４の側断面図である。
【図６】他の実施の形態の封止部材を使用した要部斜視図である。
【図７】図６の側断面図である。
【図８】他の実施の形態の要部斜視図である。
【図９】図８の側断面図である。
【図１０】他の実施の形態の要部斜視図である。
【図１１】他の実施の形態の要部分解斜視図である。
【図１２】図１０の基板収納ケースの側断面図である。
【図１３】図１０の基板収納ケースの側断面図である。
【図１４】他の実施の形態の要部分解斜視図である。
【図１５】図１４の側断面図である。
【符号の説明】
１３                        基板収納ケース
１６                        台板（基体）
１７                        回路基板
１８                        カバー体
２３                        係止孔（係合手段）
３２                        係止片（係合手段）
３８                        差込片（係合手段）
３９                        係止孔（係合手段）
４１                        枠部
４２                        貫通孔（開口部）
４３                        枠部
４４，４４Ａ，４４Ｂ        封止部材
【図１】
0004632526.tif 000002
【図２】
0004632526.tif 000003
【図３】
0004632526.tif 000004
【図４】
0004632526.tif 000005
【図５】
0004632526.tif 000006
【図６】
0004632526.tif 000007
【図７】
0004632526.tif 000008
【図８】
0004632526.tif 000009
【図９】
0004632526.tif 000010
【図１０】
0004632526.tif 000011
【図１１】
0004632526.tif 000012
【図１２】
0004632526.tif 000013
【図１３】
0004632526.tif 000014
【図１４】
0004632526.tif 000015
【図１５】
0004632526.tif 000016